(57)【特許請求の範囲】
【請求項１】
無線通信システム内に通信を構成するための方法であって、前記方法は、
ビクティムセルの低出力ノードがフィードバック情報を前記低出力ノードによってサービス提供される一又は複数の無線通信機器に送信する際の、無線フレームの一又は複数のサブフレームの第１の群を示す情報を取得すること（９００）と、
前記取得した情報に基づいて、アグレッサセルの基地局がフィードバック情報を前記基地局によってサービス提供される一又は複数の無線通信機器に送信すべき際の、一又は複数のサブフレームの第２の群であって、前記第１のサブフレーム群とは異なる第２のサブフレーム群を決定すること（９０２）と、
前記第２のサブフレーム群の間に、一又は複数の無線通信機器にフィードバック情報を送信するように前記基地局を構成すること（９０４）と、及び
前記第２のサブフレーム群の間に、前記基地局からフィードバック情報を送信すること（９０８）と
を含む方法。
【請求項２】
無線ネットワークノードの動作を連携するために事前に定義した規則に基づいて、送信を保護するため無線アクセスノードの連携動作の役割を担う連携ノードからの命令に呼応して、一又は複数のサブフレームの前記第１の群及び前記第２の群を示す前記情報が別のノードからの明示的なシグナリングによって取得される、請求項１に記載の方法。
【請求項３】
前記第２のサブフレーム群の間にフィードバック情報を送信するように前記基地局を構成することは、前記基地局に対してセル識別子を設定することによって、前記基地局によって送信されるフィードバックチャネルの時間及び／又は周波数リソースを調整することを含む、請求項１に記載の方法。
【請求項４】
前記第２のサブフレーム群の間にフィードバック情報を送信するように前記基地局を構成することは、前記基地局によってサブフレームごとに使用される直交周波数分割変調（ＯＦＤＭ）シンボルの数を設定することによって、前記基地局によって送信されるフィードバックチャネルの時間及び／又は周波数リソースを調整することを含む、請求項１に記載の方法。
【請求項５】
前記基地局によってサービス提供される無線通信機器に識別子を割り当てることによって、前記基地局によって送信される制御チャネルの時間及び／又は周波数リソースを調整することをさらに含む、請求項１に記載の方法。
【請求項６】
前記制御チャネルに対して送信フォーマットを調整することによって、前記基地局によって送信される制御チャネルを調整することをさらに含む、請求項５に記載の方法。
【請求項７】
前記第２のサブフレーム群の間にフィードバック情報を送信するように前記基地局を構成することは、前記基地局によってサービス提供される無線通信機器のグループ番号であって、前記フィードバック情報の送信に使用される送信リソースの組を示すグループ番号を調整することを含む、請求項１に記載の方法。
【請求項８】
前記第２のサブフレーム群の間にフィードバック情報を送信するように前記基地局を構成することは、前記基地局によってサービス提供される無線通信機器によって送信される復調参照信号に関連付けられる巡回シフトを設定することによって、前記基地局によって送信されるフィードバックチャネルを調整することを含む、請求項１に記載の方法。
【請求項９】
前記第２のサブフレーム群は、オールモストブランクサブフレーム（ＡＢＳ）を含む、請求項１に記載の方法。
【請求項１０】
フィードバック情報を送信することは、物理ハイブリッド自動再送要求指示チャネル（ＰＨＩＣＨ）上でハイブリッド自動再送要求（ＨＡＲＱ）フィードバックを送信することを含む、請求項１に記載の方法。
【請求項１１】
無線通信システム内に通信を構成するための装置（１０００）であって、前記装置は、
無線通信機器にフィードバック情報を送信するように適合された送信機（１０１０）と、
ビクティムセルの低出力ノードがフィードバック情報を前記低出力ノードによってサービス提供される一又は複数の無線通信機器に送信する際の、無線フレームの一又は複数のサブフレームの第１の群を示す情報を取得し、
前記取得した情報に基づいて、アグレッサセルの基地局がフィードバック情報を前記基地局によってサービス提供される一又は複数の無線通信機器に送信すべき際の、一又は複数のサブフレームの第２の群であって、前記第１のサブフレーム群とは異なる第２のサブフレーム群を決定し、
前記第２のサブフレーム群の間に、一又は複数の無線通信機器にフィードバック情報を送信するように前記基地局を構成し、さらに
前記第２のサブフレーム群の間に、前記基地局からフィードバック情報を送信するように
適合されたプロセッサ（１００２）と、
を含む装置。
【請求項１２】
前記プロセッサは、無線ネットワークノードの動作を連携するために事前に定義した規則に基づいて、送信を保護するため無線アクセスノードの連携動作の役割を担う連携ノードからの命令に呼応して、別のノードからの明示的なシグナリングによって一又は複数のサブフレームの前記第１の群及び前記第２の群を示す前記情報を取得するように動作可能な、請求項１１に記載の装置。
【請求項１３】
前記プロセッサは、前記基地局に対してセル識別子を設定することによって、前記第２のサブフレーム群の間にフィードバック情報を送信するため、前記基地局を構成するように適合される、請求項１１に記載の装置。
【請求項１４】
前記プロセッサは、前記基地局によってサブフレームごとに使用される直交周波数分割変調（ＯＦＤＭ）シンボルの数を設定することによって、前記第２のサブフレーム群の間にフィードバック情報を送信する前記基地局を構成するように適合される、請求項１１に記載の装置。
【請求項１５】
前記プロセッサは、前記基地局によってサービス提供される無線通信機器に識別子を割り当てることによって、前記基地局によって送信される制御チャネルのタイミングを調整するようにさらに適合される、請求項１１に記載の装置。
【請求項１６】
前記プロセッサは、前記制御チャネルに対して送信フォーマットを調整することによって、前記基地局によって送信される制御チャネルのタイミングを調整するようにさらに適合される、請求項１５に記載の装置。
【請求項１７】
前記プロセッサは、前記基地局によってサービス提供される無線通信機器のグループ番号であって、フィードバック情報の送信に使用される送信リソースの組を示すグループ番号を調整することによって、前記第２のサブフレーム群の間に前記フィードバック情報を送信する前記基地局を構成するように適合される、請求項１１に記載の装置。
【請求項１８】
前記プロセッサは、前記基地局によってサービス提供される無線通信機器によって送信される復調参照信号に関連する巡回シフトを設定することによって、前記第２のサブフレーム群の間にフィードバック情報を送信する前記基地局を構成するように適合される、請求項１１に記載の装置。
【請求項１９】
前記第２のサブフレーム群は、オールモストブランクサブフレーム（ＡＢＳ）を含む、請求項１１に記載の装置。
【請求項２０】
前記プロセッサは、物理ハイブリッド自動再送要求指示チャネル（ＰＨＩＣＨ）上でハイブリッド自動再送要求（ＨＡＲＱ）フィードバックを送信することによって、フィードバック情報を送信するように動作可能である、請求項１１に記載の装置。
【発明の詳細な説明】
【技術分野】
【０００１】
優先権の主張
本願は、そのすべての開示内容が参照によって本願に組み込まれる、「異種配置におけるＨＡＲＱフィードバック情報の高信頼性受信のための方法」と題する２０１２年３月１６日に出願されたＰＣＴ特許出願番号ＰＣＴ／ＣＮ２０１２／０７２４２９の利点を主張するものである。本開示は概して無線通信に関し、より詳しくは無線送信の信頼性の向上に関する。
【背景技術】
【０００２】
近年通信サービスの利用及び可用性が劇的に向上したことにより、無線通信ネットワークに対する需要が著しく増大している。カバレッジ、スループット、及び信頼性に対する要件は絶えず増大しているため、無線ネットワークの設計及び構成における多くの開発が加速されている。その１つの例が、従来のマクロセル基地局よりも低い最大送信出力レベルを提供する様々な種類の「低出力」ノードの配置によって、従来のマクロセル基地局が補完される「異種」ネットワークの配置であった。これらの低出力ノードは多くの場合、従来のマクロセルアクセスノードよりも小型で、製造においても運用においてもより安価である。
【０００３】
異種配置は、ネットワーク密度を高め、トラフィックのニーズ及び動作環境の変化に適合するための機構を提供する。しかしながら、異種配置は、効率的なネットワーク運用を妨げ、ユーザーの使用感を低下させることがある特有の問題を引き起こす。一般的に低出力ノードに関連した送信出力の低下は、干渉に対する感受性を高める結果となることがある。加えて、異種配置における大型セルと小型セルの混在は、異なるセルで出力能力が非対称になる結果、その他の問題を引き起こすことがある。その結果、異種配置及び他の高度なネットワークでのセル間干渉を低減する効果的な解決策が必要となっている。
【発明の概要】
【０００４】
本開示に基づいて、無線通信に関連する特定の欠点及び問題点は、大幅に低減又は除去される。具体的には、無線通信サービスを提供するためのある機器及び技術が説明される。
【０００５】
本開示の一実施形態に基づいて、無線通信システムで通信を構成する方法は、第１のネットワークノードで、第１のネットワークノードによってサービス提供される第１のセルで無線通信機器へのダウンリンク送信のための複数の候補サブフレームを示す情報を取得することを含む。各候補サブフレームは、当該サブフレームの間の第２のセルでの送信に関連する候補条件を満たす。方法はまた、取得した情報に基づいて、アップリンク送信に関連するダウンリンク送信が候補サブフレームの１つの間に起こるように、無線通信機器が連続するアップリンクサブフレームの中で送信すべきアップリンク送信の複製の数を決定することを含む。加えて、方法は、連続するサブフレームの中で決定された数のアップリンク送信の複製を送信する無線通信機器を構成することを含む。
【０００６】
本開示の別の実施形態に従って、無線通信システムで通信を構成する方法は、第１のネットワークノードがフィードバック情報を第１のネットワークノードによってサービス提供される一又は複数の無線通信機器に送信する際の、無線フレームの一又は複数のサブフレームの第１の群を示す情報を取得することを含む。方法はまた、取得した情報に基づいて、第２のネットワークノードがフィードバック情報を第２のネットワークノードによってサービス提供される一又は複数の無線通信機器に送信すべき際の、一又は複数のサブフレームの第２の群を決定することを含む。第２のサブフレーム群は第１のサブフレーム群とは異なる。方法は追加的に、第２のサブフレーム群の間に、一又は複数の無線通信機器にフィードバック情報を送信する第２のネットワークノードを構成すること、並びに第２のサブフレーム群の間に、第１のネットワークノードからフィードバック情報を送信すること、を含む。
【０００７】
本開示のある実施形態によってもたらされる重要な技術的利点には、無線通信の信頼性の向上が含まれる。特定の実施形態は、無線通信機器が、特に異種ネットワークで受けるセル間干渉を低減することができる。このような実施形態は、送信エラーの回数を低減すること及び／又は無線送信が成功裏に受信される可能性を高めることができる。加えて、特定の実施形態では、干渉セルのスループットに対する影響を最小限に抑えたまま、干渉の低減が実現可能である。本発明の他の利点は、以下の図面、明細書及び特許請求の範囲から当業者には容易に明らかになるであろう。さらに、具体的な利点は上記に列挙されているが、種々の実施形態は列挙された利点のすべて、一部を含むこと、或いは何も含まないことがある。
【０００８】
本発明及びその利点をより完璧に理解するため、添付図面と併せて、以下の説明を参照する。
【図面の簡単な説明】
【０００９】
【図１Ａ】説明されている解決策が実装される無線通信システムの特定の実施形態を図解している。
【図１Ｂ】説明されている解決策が実装される無線通信システムの特定の実施形態を図解している。
【図１Ｃ】説明されている解決策が実装される無線通信システムの特定の実施形態を図解している。
【図２Ａ】マルチキャストブロードキャスト単一周波数ネットワーク（ＭＢＳＦＮ）オールモストブランクサブフレーム（ＡＢＳ）として構成されたサブフレームに対する送信パターンの実施例を示す。
【図２Ｂ】非ＭＢＳＦＮ  ＡＢＳサブフレームとして構成されたサブフレームに対する送信パターンの実施例を示す。
【図３】実施例のフレーム構成に従うＭＢＳＦＮ構成可能なサブフレームを示す図である。
【図４】ダウンリンク送信を保護するために使用されうる候補サブフレームの組に対する、ある種のダウンリンク送信に対するタイミングの実施例を図解している。
【図５Ａ】様々なシナリオの下でハイブリッド自動再送要求（ＨＡＲＱ）送信に対するタイミングの実施例を図解している。
【図５Ｂ】様々なシナリオの下でハイブリッド自動再送要求（ＨＡＲＱ）送信に対するタイミングの実施例を図解している。
【図６】関連するアップリンク送信の複数の複製が生成されるときの、図４のダウンリンク送信及び候補サブフレームの相対的なタイミングの別の実施例を図解している。
【図７】ダウンリンク送信の保護促進における無線アクセスネットワークノードの特定の実施形態の動作の実施例を図解するフロー図である。
【図８】ダウンリンク送信を保護するため無線アクセスネットワークノードが動作を連携する、図１Ａ〜１Ｃの無線通信システムの実施例の別の実施形態を図解している。
【図９】ダウンリンク送信を保護するため別の無線アクセスノードと連携する無線アクセスノードの特定の実施形態の動作の実施例を示すフロー図である。
【図１０】無線通信システムの特定の実施形態で利用されうる無線アクセスノードの実施例の実施形態の内容を図解するブロック図である。
【発明を実施するための形態】
【００１０】
図１Ａは、一又は複数の無線通信機器２０に通信サービスを提供する無線通信システム１０を図解している。無線通信システム１０は、特定の地理的エリア内の通信サービスに無線アクセスを提供するアクセスネットワーク３０、及び無線通信システム１０内で情報のバックホール配信を提供するコアネットワーク４０を含む。アクセスネットワーク３０は、ある実施形態で、複数の異なる種類の無線アクセスノード（例えば、基地局３２及び低出力ノード３４の双方）を含む複数の無線アクセスノードを含む。各無線アクセスノードは一又は複数のセル５０にサービスを提供する。セル５０が近接している（及び重なる可能性がある）ため、第１のセル５０（本明細書では「ビクティムセル」と呼ぶ）内で動作する無線通信機器２０は、ビクティムセルに重なる又は近接する第２のセル５０（本明細書では「アグレッサセル」と呼ぶ）内で発生する送信によって干渉を受けることがある。このアグレッサセルは、ビクティムセルとして同一の無線アクセスノードによってサービス提供されること、又は別の無線アクセスノードによってサービス提供されることがある。
【００１１】
加えて、上述のように、アクセスネットワーク３０は、異なる出力レベルで送信する無線アクセスノードが配備される異種ネットワークを表すことがある。無線アクセスノードが干渉セルにサービスを提供するときよりも高い出力を使用する無線アクセスノードによってビクティムセルがサービス提供される場合には、例えば図１Ａに関して、ビクティムセルが低出力ノード３４の１つによってサービス提供され、且つアグレッサセルが基地局３２の１つによってサービス提供される場合には、これはより深刻な干渉の問題を引き起こすことがある。
【００１２】
このような干渉の問題は、ある種の低出力ノード３４を利用する異種ネットワークに一般的に実装される特定の解決策によって、さらに悪化することがある。例えば、図１Ｂは、一又は複数の低出力ノード３４がクローズドサブスクライブドグループ（ＣＳＧ）を利用するように構成されているときに、無線通信システム１０のある実施形態に起こりうる問題を図解している。図１Ｂの実施例では、一又は複数の低出力ノード３４はＣＳＧを利用するように構成されている。ＣＳＧの利用により、低出力ノード３４は「クローズドサブスクライバグループ」の一部となる特定の認定ユーザーに対してサービスへのアクセスを制限することができる。ＣＳＧで構成された無線アクセスノードは、ＣＳＧのメンバである無線通信機器２０に通信サービスを提供するが、当該ノードのＣＳＧのメンバではない無線通信機器２０へのサービスは拒否する。例えば、職場で従業員にサービスを提供するため使用者によって操作されるピコセルは、その会社のすべての従業員の無線通信機器２０を含むＣＳＧで構成されてもよい。ＣＳＧを使用することにより、この低出力ノード３４は、その会社の従業員に対して隣接する基地局３２によって提供されるものを超える付加的な又はより良いサービスカバレッジを提供しうるが、エリア内の非従業員がピコセルの送信、受信、又は処理リソースに接続するのを防止することができる。
【００１３】
したがって、ＣＳＧ低出力ノード３４によってサービス提供されるセル５０で動作している非ＣＳＧ無線通信機器２０は、ＣＳＧ低出力ノード３４が最も近い無線アクセスノードであるとしても、ＣＳＧ低出力ノード３４を利用することができない。一方、ＣＳＧ低出力ノード３４によって行われる無線送信は、これらの非ＣＳＧ無線通信機器２０とこれらにサービス提供する他の無線アクセスノードとの間の通信に干渉することがある。しかも、非ＣＳＧ無線通信機器２０は、ＣＳＧ低出力ノード３４からサービスを得ることができないにもかかわらず、ＣＳＧ低出力ノード３４のきわめて近くに配置されることがあり、これにより非ＣＳＧ無線通信機器２０に対して著しい量の干渉を引き起こすことがある。例えば、図１Ｂに示した実施例では、無線通信機器２０ｇは低出力ノード３４ｇによってサービス提供されるＣＳＧのメンバではなく、低出力ノード３４ｇからサービスを得ることはできないものと想定されている。その代り、無線通信機器２０ｇはセル５０ｊの基地局３２ｇによってサービス提供される。その結果、ＣＳＧ低出力ノード３４ｇによってサービス提供されるセル３４ｇは、無線通信機器２０がセル３４ｇに重なるセル５０ｊの一部の中で動作している間に、アグレッサセルとして作用することがある。このアグレッサセル５０ｇからの干渉は、無線通信機器２０ｇが低出力ノード３４ｇにきわめて近いところで動作しているときには、きわめて強くなることがある。
【００１４】
特に異種ネットワークで起こりうる別の干渉の問題は、「セルレンジエクスパンション」（又は「セルレンジエクステンション」）（ＣＲＥ）の使用に関連している。図１Ｃは、一又は複数の低出力ノード３４がＣＲＥに対応するように構成されている実施例を図解している。ＣＲＥでは、セル選択／再選択は、例えば、付加的なエリア（図１ＣのＣＲＥゾーン５２で表される）を含むように低出力セルのカバレッジを拡張するパスロス又はパスゲインベースのアプローチに対する、従来の信号強度ベース（ＲＳＲＰベース）のアプローチとは異なる。特定のＣＲＥゾーン５２が大きくなればなるほど、その境界ではサービングセルの信号強度は弱くなる。これにより、隣接するマクロセルは、ＣＲＥゾーン５２内で動作している無線通信機器２０に対してアグレッサセルとして作用することがある。例えば、図１Ｃでは、基地局３２ｋによってサービス提供されるセル５０ｍは、低出力ノード３４ｋのＣＲＥゾーン５２ｋ内で動作している無線通信機器２０ｋに対してアグレッサセルとして作用することがある。したがって、一般に、図１Ａ〜１Ｃで示したように、セル間干渉は無線通信システムにおいて、特に異種配置を実装する無線通信システムにおいて、重大な懸念となることがある。
【００１５】
このようなセル間干渉から特定の種類のシグナリングを保護することは重要であろう。例えば、ＬＴＥ対応の無線通信システム１０のある実施形態は、送信エラーの訂正に関して、ハイブリッド自動再送要求（ＨＡＲＱ）機能を利用することができる。特定の実施形態では、ＨＡＲＱ機能は伝送ブロックを送信及び再送信するＮプロセスストップアンドウェイト機構を提供する。伝送ブロックを受信すると、受信機は伝送ブロックのデコードを試み、デコードが成功したかどうか及び／又は伝送ブロックの再送信が必要かどうかを示すフィードバック情報（例えば、受信の成功に対しては承認（ＡＣＫ）、或いは受信の失敗に対しては非承認（ＮＡＫ）を表す単一ビット）を送信することによって、デコード操作の結果を送信機に通知する。アグレッサセルからの干渉によって、この種のフィードバック情報が成功裏に送信されることが妨げられる場合には、かなり多数の不必要な再送信が発生すること及び／又は誤って受信された送信が再送信されないことがありうる。
【００１６】
加えて、ＨＡＲＱはまた、第１のスケジュールされたアップリンク送信（例えば、初回のアクセス、ハンドオーバ後、ＲＲＣ接続完了時など）及びダウンリンクでの競合解消（ＨＡＲＱフィードバックは、競合解消メッセージでエコーバックされたメッセージ３に規定されているように、自らの識別子を検出する無線通信機器２０によってのみ送信される）の双方に関して、競合ベースランダムアクセス送信のために使用されてもよい。第１のアップリンク送信ステップ又は競合解消ステップでのＨＡＲＱの失敗は、例えば、当該の無線通信機器２０によるセル無線ネットワーク一時識別子（Ｃ−ＲＮＴＩ）の検出の失敗、又は同一のＣ−ＲＮＴＩを別の無線通信機器２０に誤って割り当てることなどを引き起こすことがある。
【００１７】
無線通信システム１０のある実施形態は、送信の一部又はすべてに対して「同期ＨＡＲＱ」を利用する。例えば、ＬＴＥ実装は、アップリンク共有チャネル（ＵＬ−ＳＣＨ）上でアップリンクユーザーデータ送信に対して同期ＨＡＲＱを使用して、物理ハイブリッド自動再送要求指示チャネル（ＰＨＩＣＨ）上でのダウンリンクにＨＡＲＱフィードバック情報を提供する。同期ＨＡＲＱは、同期ＨＡＲＱフィードバック及び同期再送信を含む。このような実施形態では、フィードバック情報のダウンリンク送信及び任意のアップリンク送信のためのタイムインスタンツは、アップリンク送信のためにスケジューリングされたサブフレームに基づいて固定されており、無線アクセスノード及び当該の無線通信機器２０の双方に対して既知である。その結果、このＨＡＲＱモードで動作している場合には、ＨＡＲＱプロセスナンバの信号伝達が不要になることがある。再送信の最大回数は無線通信機器２０ごとに設定されてもよい。同期ＨＡＲＱの運用の実施例を図５Ａに示す。
【００１８】
無線通信システム１０の特定の実施形態では、アグレッサセルでの送信は、これらのセルにサービス提供する無線アクセスノードによって行われるダウンリンク送信を制限する所定の送信パターンによって制約されることがある。これらの送信パターンは、当該のセルでダウンリンク送信を行うために使用される時間及び／又は周波数リソースを制限することがある。その結果、これらの送信パターンは、別の時間及び／又は周波数リソースのアグレッサセルによる干渉からビクティムセルを保護することができる。
【００１９】
例えば、無線通信システム１０は、あるサブフレームの間に最小量のシグナリングを送信するこれらの無線アクセスノードをもたらすオールモストブランクサブフレーム（ＡＢＳ）を利用する、無線アクセスノードを構成することができる。特定の実施形態では、ＡＢＳパターンは、当該セル５０に対して、低出力及び／又は低送信アクティビティサブフレーム（例えば、少ない数の変調シンボルが送信される或いはデータ又はシグナリングの量において他の何らかの減少が起こるサブフレーム）を定義する。例えば、潜在的なアグレッサセルに対するＡＢＳパターンは、アグレッサセルでユーザーデータが送信されていない間に任意の数のサブフレームを指定することができるが、当該サブフレームの間に制御チャネル情報が送信されていることがある。特定の実施形態では、ＡＢＳパターンは無線アクセスノード間で（例えば、Ｘ２インターフェースを介して）交換可能である。
【００２０】
さらに、特定の実施形態では、アグレッサセルによって引き起こされるセル間干渉は、マルチキャストブロードキャスト単一周波数ネットワーク（ＭＢＳＦＮ）サブフレームとしても構成される、これらのＡＢＳサブフレームの間に大幅に低減可能である。ある実施形態では、ＭＢＳＦＮサブフレームは非ＭＢＳＦＮ領域とＭＢＳＦＮ領域とに分割される。例えば、非ＭＢＳＦＮ領域は、非ＭＢＳＦＮ領域の長さが１つ又は２つのシンボルである（例えば、ＤＬリソースブロックの数が１０を超えるときには、１つのシンボルが１つ又は２つのセル固有ポートと共に使用されることがある）ＭＢＳＦＮサブフレームの中で、最初の１つまたは２つの直交周波数分割多重（ＯＦＤＭ）シンボルに及ぶことがある。このような実施形態では、ＭＢＳＦＮサブフレームの中のＭＢＳＦＮ領域は、非ＭＢＳＦＮ領域の一部を構成しないＯＦＤＭシンボルとして定義されることがある。ＭＢＳＦＮサブフレームの一部は、物理マルチキャストチャネル（ＰＭＣＨ）送信などのマルチキャスト送信を実行するが、その名称にもかかわらず、すべてのＭＢＳＦＮサブフレームがこのような送信を含むわけではない。マルチキャスト送信のないＭＢＳＦＮサブフレームは、本明細書では「ブランクＭＢＳＦＮサブフレーム」と呼ばれる。
【００２１】
それにもかかわらず、ブランクＭＢＳＦＮサブフレームの中であっても、ある種のシグナリングは非ＭＢＳＦＮ領域の一部の中で送信されることがある。例えば、ＬＴＥネットワークでは、共通参照信号（ＣＲＳ）はブランクＭＢＳＦＮサブフレームの非ＭＢＳＦＮ領域内で、すなわち第１のシンボル内で送信されてもよい。しかしながら、非ＭＢＳＦＮサブフレーム内で構成されるＡＢＳ（「非ＭＢＳＦＮ  ＡＢＳ構成」）とは異なり、ブランクＭＢＳＦＮサブフレームの中で構成されるＡＢＳ（「ＭＢＳＦＮ  ＡＢＳ構成」）は、ある種の情報（例えば、ＬＴＥネットワークのＣＲＳ）はＭＢＳＦＮサブフレームのＭＢＳＦＮ領域に送信されないという事実によって、セル間干渉が減少する結果となることがある。無線通信システム１０の特定の実施形態で使用されうるＭＢＳＦＮ  ＡＢＳ構成の実施例に対するサブフレームの図は図２Ａに概略的に図解されており、一方特定の実施形態で使用されうる非ＭＢＳＦＮ  ＡＢＳ構成の実施例に対するサブフレームの図は図２Ｂに概略的に図解されている。図２Ａ及び２Ｂの実施例では、２つの送信アンテナポートは、第１のポート（「Ｒ０」で表示）及び第２のポート（斜交線で表示）に対して示された送信と共にＣＲＳに対して使用されることが想定されている。図２Ａ及び２Ｂからわかるように、潜在的なアグレッサセルがＭＢＳＦＮ  ＡＢＳで構成される場合には、送信は非ＭＢＳＦＮ  ＡＢＳで構成される場合よりもサブフレーム当たりより少ないシンボル数で起こり、結果的にＭＢＳＦＮ  ＡＢＳで構成されるアグレッサセルからの全体的な干渉は減少する。
【００２２】
しかしながら、すべてのダウンリンク（ＤＬ）サブフレームがＭＢＳＦＮ構成可能なわけではない。図３は、ＦＤＤが利用される場合、ＭＢＳＦＮ構成がロングタームエボリューション（ＬＴＥ）ネットワークの３ＧＰＰ  ＴＳ３６．３３１仕様書の下でどのように制約されるかの実施例を示している。図３に示すように、一部のシステム情報はこれらのサブフレームで送信される必要があるため、ＭＢＳＦＮはＦＤＤシステム内のサブフレーム＃０、＃４、＃５、＃９で構成されえないことがある。したがって、このような実施形態では、サブフレーム＃１、＃２、＃３、＃６、＃７、及び＃８はＭＢＳＦＮサブフレームで構成されえない。図３に示したＦＤＤ制約とは対照的に、ＴＤＤ  ＬＴＥシステムでは、ＭＢＳＦＮに対してサブフレーム＃３、＃４、＃７、＃８及び＃９のみが構成されうる。より多くのサブフレームを保護するため、ＭＢＳＦＮ及び非ＭＢＳＦＮ  ＡＢＳの混合を使用することが可能であるが、ＭＢＳＦＮ及び非ＭＢＳＦＮ  ＡＢＳサブフレームの混合は、不正確なセル状態情報のレポート、高度な受信機を備えた無線通信機器２０に対する効率の低い復調アルゴリズム、ネットワーク構成上の不必要な制約、及びアグレッサセルでのスループットの低下、などの他の問題を生む可能性がある。加えて、利用可能なＭＢＳＦＮサブフレームの一部は、干渉の解除以外の目的で使用されることが必要になることがある。したがって、無線通信システム１０は、保護することが必要であるか保護することが望ましいビクティムセル内のすべてのダウンリンクサブフレームを保護するため、ＡＢＳに対して利用可能な十分なＭＢＳＦＮセルを有していないことがある。これは、ＭＢＳＦＮサブフレームがある時点で干渉を低減するためだけに使用されうること、及び特定の実施形態では、保護されうる期間がネットワークごとに変わりうることを意味する。
【００２３】
したがって、アグレッサセル送信パターンが構成されうる方法に関する制約は、ＭＢＳＦＮ  ＡＢＳパターンなどの送信パターンを使用して、ビクティムセル内で必要なすべての送信リソースを干渉から保護することを不可能にすることがある。例えば、無線通信システム１０の特定の実施形態でＨＡＲＱタイミングが８ｍｓの周期に基づいていると想定すると、これはＬＴＥに対して設定されたＨＡＲＱ周期と矛盾しない。アップリンクグラントがサブフレームｎに最初に割り当てられると、ＨＡＲＱフィードバック情報（例えば、ＡＣＫ／ＮＡＫの指示）はサブフレーム（ｎ＋８ｋ）ｍｏｄ（１０）のＰＨＩＣＨチャネル上で送信される。ここでｋは任意の正の整数値であり、ｍｏｄ（．）は除算後の余りである。ｎが奇数の場合、サブフレーム１、９、７、５、及び３は、対応するＨＡＲＱプロセスに関してＡＣＫ／ＮＡＫ情報を有することになる。この場合、サブフレーム９及び５は保護が必要になるが、これらのサブフレームは図３に図解されている実施例ではＭＢＳＦＮ構成可能ではない。ｎが偶数の場合、ダウンリンクＨＡＲＱフィードバック情報は、対応するＨＡＲＱプロセスに関してサブフレーム０、８、６、４、及び２に送信される。この場合、サブフレーム０及び４は保護が必要になるが、図３の実施例の下ではどちらもＭＢＳＦＮ構成可能ではない。
【００２４】
これがどのように問題を引き起こすのかを説明するため、図４は、無線アクセスノードがビクティムセル内のＰＨＩＣＨ上でＨＡＲＱフィードバックを成功裏に送信するように試みる無線通信システム１０の実施例の実施形態で起こりうるアップリンクＨＡＲＱタイミングの実施例を示している。ビクティムセル内の無線通信機器２０がＰＨＩＣＨ送信を成功裏に受信及びデコードする可能性がある場合には、アグレッサセル内にＭＢＳＦＮ  ＡＢＳサブフレーム又は他の何らかの機構を有する、ビクティムセル内のＰＨＩＣＨ送信を保護することが必要になることがある。図４の実施例では、アグレッサセル内でＭＢＳＦＮ  ＡＢＳサブフレームによる保護を必要とするビクティムセル内のサブフレームが「保護されるサブフレーム」と書かれた行に表示されている。図４が示すように、この実施例の構成では、ＭＢＳＦＮはこれらのサブフレームでは構成されえないため、無線フレーム０のサブフレーム９及び無線フレーム２のサブフレーム５は、ＭＢＳＦＮ  ＡＢＳサブフレームによって保護することはできない。その結果、ＰＨＩＣＨ送信の一部のみがＭＢＳＦＮ  ＡＢＳサブフレームによって保護可能となり、ＭＢＳＦＮサブフレームに対する構成の制約により、一部のＰＨＩＣＨ送信は確実に検出されないことがある。
【００２５】
これは、当該のダウンリンク送信（例えば、ＰＨＩＣＨ上で送信されるＨＡＲＱフィードバック情報）の周期、及びビクティムセルでのダウンリンク送信を保護するための適切な干渉条件をもたらす送信パターン（例えば、ＭＢＳＦＮ  ＡＢＳパターン）の周期との不一致の結果として、特定の実施形態で起こりうるより一般的な問題の例である。アグレッサセルに対して構成される送信パターン（例えば、ＭＢＳＦＮ  ＡＢＳパターン）を単純に生かすことによって、ビクティムセル内のダウンリンク送信の一部を保護することは可能であるが、この方法ではビクティムセル内のすべてのダウンリンク送信を保護することができないことがある。一般的に、アグレッサセルによる干渉から保護することができる時間及び／又は周波数リソースに（例えば、ＭＢＳＦＮ／非ＭＢＳＦＮ、サイクリックプレフィックス構成、干渉条件、ネットワーク構成、機器の動作状態などのサブフレームの種類による）制限があり、同時に（同期ＨＡＲＱのタイミングの制約により）ビクティムセル内で特定のダウンリンク送信を行わなければならない所定の時点が存在する場合には、これらの所定の時点はダウンリンク送信に対して必要となるかもしれないすべてのサブフレームを完全には包含できないことがある。したがって、干渉から保護されうるサブフレームのパターンとこのような保護を必要とするダウンリンク送信との間の周期の不一致を示す無線通信システム１０の実施形態では、付加的な策を講じることなく保護を必要とするすべてのダウンリンク送信を保護できないことがある。
【００２６】
その結果、無線通信システム１０は、当該のダウンリンク送信が干渉保護される又はされうる「候補」リソースの事前に定義した実行可能なサブセットと一致することを保証するため、ビクティムセル内のあるダウンリンク送信に対して使用される時間及び／又は周波数リソースを制御するように構成されている。より具体的には、無線通信システム１０の特定の実施形態では、第１の無線アクセスノードは、他のセル内の送信パターンを利用することによって、第１のセル内のダウンリンク送信に干渉保護を提供することができる。第１の無線アクセスノードは、セル間干渉を受けない或いはセル間干渉のレベルを低減する時間及び／又は周波数リソース上に、ある種のダウンリンク送信を構成することができる。図５Ａ、５Ｂ、６及び７に関して以下でさらに説明するように、無線アクセスノードがこの構成を実装する方法の１つの実施例は、関連のダウンリンク送信のタイミングを有益に調整するため、ある種のアップリンク送信で冗長な送信を利用することである。ある実施形態では、ビクティムセル内の無線アクセスノードは、既に述べた構成に関する解決策を非依存的に実装して、アグレッサセルによって使用される固定された送信パターンに反応することができる。しかしながら、代替的な実施形態では、ビクティムセル内の無線アクセスノードは、図８及び９に関して以下でさらに詳細に説明されるように、送信パターンを連動させるために潜在的なアグレッサセル内の無線アクセスノードと相互作用可能であってもよい。
【００２７】
ここで、図１Ａに示した実施例の実施形態に戻ると、無線通信システム１０の例示的な実施形態は、無線通信システム１０によってサービス提供される複数のセル５０の中で動作する一又は複数の無線通信機器２０に無線通信サービスを提供する。無線通信システム１０は、限定するものではないが、任意のロングタームエボリューション（ＬＴＥ）、ワールドワイド・インターオペラビリティ・フォー・マイクロウェーブ・アクセス（ＷｉＭＡＸ）、広帯域符号分割多元接続（ＷＣＤＭＡ（登録商標））通信規格などを含む、任意の好適な種類の及び／又は任意の適切な通信規格に従う通信に対応してもよい。
【００２８】
無線通信機器２０は、無線通信システム１０と無線的に情報をやりとりすることができる任意の機器を表す。無線通信機器２０の実施例は、無線電話、パーソナルデジタルアシスタント（ＰＤＡ）、ラップトップコンピュータ、及び通信システム１０による使用に適した他の任意の可搬型通信機器など、従来の通信機器を含む。例えば、特定の実施形態では、無線通信機器２０はＬＴＥユーザー機器（ＵＥ）の例を表す。加えて、特定の実施形態では、無線通信機器２０はまた、自動化機器又はマシン型通信（ＭＴＣ）が可能な機器を表すこともある。例えば、無線通信機器２０は、無線計測器又はセンサ、デジタル掲示板、無線対応家電（例えば、洗濯機、温風機、デジタルビデオレコーダ（ＤＶＲ））、又はアクセスネットワーク３０との無線通信が可能な他の任意の機器を表すことがある。
【００２９】
アクセスネットワーク３０は、無線通信機器２０と無線的に通信を行い、無線通信機器２０とコアネットワーク４０との間のインターフェースとして働く。アクセスネットワーク３０は、無線アクセスネットワーク及び／又は、コアネットワーク４０に無線又はエアインターフェースを提供する機能を負う任意の要素を表す又は含むことがある。アクセスネットワーク３０は、無線通信機器２０と無線的に通信することができる一又は複数の無線アクセスノードを含む。図１Ａの実施例の実施形態では、これらの無線アクセスノードは複数の基地局３２及び低出力ノード３４を含む。アクセスネットワーク３０はまた、基地局コントローラ、アクセスサーバ、ゲートウェイ、リレー、リピータ、及び／又は基地局３２によって使用される無線チャネルの管理、ユーザー認証、基地局３２と他の無線アクセス要素との間のハンドオフの制御、及び／又は基地局３２の相互運用の管理及びコアネットワーク４０への基地局３２の接続に好適な任意の付加的なコンポーネントを含むことがある。
【００３０】
特定の実施形態では、アクセスネットワーク３０は、複数の異なる種類の無線アクセスノードが配備される異種ネットワークを表すことがある。例えば、図１Ａの例示的な実施例では、アクセスネットワーク３０は、各々が一又は複数のセル５０にサービスを提供する複数の基地局３２、及び各々が一又は複数のセルにサービスを提供する複数の低出力ノード３４を含む。本明細書では、基地局３２によってサービス提供されるセル５０を「マクロ」セルと呼び、低出力局３４によってサービス提供されるセル５０を「マイクロ」セルと呼ぶ。特定の実施形態では、低出力局３４によってサービス提供されるマイクロセルは、図１Ａに示すように近隣基地局３２によってサービス提供される一又は複数のマクロセルと実質的に重なることがある。
基地局３２は、無線通信機器２０への無線通信サービスを促進するため、無線通信機器２０と無線的に通信を行う。基地局３２は、無線通信機器２０との通信を行い、無線通信機器２０をコアネットワーク４０に接続するための任意の適切な要素を含みうる。例えば、アクセスネットワーク３０及びコアネットワーク４０によって支持される通信規格に応じて、各基地局３２は、基地局、ＮｏｄｅＢ、ｅｖｏｌｖｅｄ  ＮｏｄｅＢ（ｅＮｏｄｅＢ）、無線基地局（ＲＢＳ）、又は無線通信機器２０と無線的に通信することができる他の好適な要素を表す又は含んでもよい。
【００３１】
同様に、低出力ノード３４は、無線通信機器２０への無線通信サービスを促進するため、無線通信機器２０と無線的に通信を行う。低出力ノード３４は、無線通信機器２０との通信を行い、無線通信機器２０をコアネットワーク４０に接続するための任意の適切な要素を含みうる。特定の実施形態では、低出力ノード３４は基地局３２よりも低い最大送信出力を有してもよく、基地局３２よりも低い送信出力を使用するように構成されてもよい。低出力ノード３４の実施例は、限定するものではないが、ピコ基地局、フェムト基地局、マイクロ基地局、ホームｅＮｏｄｅＢ（ＨｅＮＢ）、及び無線ローカルアクセスネットワーク（ＷＬＡＮ）アクセスポイントを含む。
【００３２】
「低出力」と呼ばれてはいるものの、低出力ノード３４は、特定の実施形態では、基地局３２と同一の物理要素を含んでもよいが、ある時点では、単純に基地局３２とは別に運用するように構成されてもよい。さらに、以下の説明は、例示を目的として、アクセスネットワークが送信出力の異なる無線アクセスノードを含む実施形態に焦点を当てているが、アクセスネットワーク３０の他の実施形態は、運用及び／又は他の機能又は特性の他の態様に関して異なる種類の無線アクセスノードを含むことがある。しかも、アクセスネットワーク３０の代替的な実施形態は、無線アクセスノードのすべてが同様または同一である同種ネットワークを表すことがある。
【００３３】
アクセスネットワーク３０内の各無線アクセスノードは、当該無線アクセスノードによってサービス提供される一又は複数のセル５０に関連している。セル５０は、対応する無線アクセスノードによってサービス提供される近接した地理的な領域を定義することができる。単純化するため、図１Ａは、各無線アクセスノードが単一のセル５０にサービス提供するように構成される実施例の実施形態を図解している。しかしながら、特定の実施形態では、無線アクセスノードは複数の異なるセル５０に対応することができる。例えば、キャリアアグリゲーション又は他のマルチキャリア機能に対応する実施形態では、特定の無線アクセスノードは、場合により同一の地理的カバレッジにより、周波数スペクトルの異なる部分のキャリアを用いる無線アクセスノードによってサービス提供されるセル５０の各々により、複数の異なるセル５０にサービス提供することができる。その結果、特定の実施形態では、第１のセル５０及び第２のセル５０は同一の無線アクセスノードによってサービス提供され、またこれらのセル５０は、同一の、重なる、又は完全に別個の地理的な領域を網羅することができる。
【００３４】
コアネットワーク４０は、アクセスネットワーク３０から他の無線通信機器２０まで、或いは地上の通信線接続又は他のネットワークを経由してコアネットワーク４０に接続されている他の通信機器まで、無線通信機器２０によって通信される音声及び／又はデータをルーティングする。コアネットワーク４０は、このような通信のルーティングに関して適切な任意の規格又は技術に対応することができる。例えば、ＬＴＥに対応している無線通信機器２０の実施形態では、コアネットワーク４０はシステムアーキテクチャエボリューション（ＳＡＥ）コアネットワークを表すことがある。コアネットワーク４０はまた、長距離伝送通信の集約、ユーザー認証、呼制御、課金を目的とした使用量の計測、又は通信サービスの提供に関連する他の機能の役割を担う。しかしながら、一般的に、コアネットワーク４０は、無線通信機器２０に対する音声及び／又はデータ通信のルーティング並びに支援に適した任意のコンポーネントを含むことがある。
【００３５】
動作時には、無線通信システム１０の無線アクセスノード（実施例の実施形態では基地局３２及び低出力ノード３４など）は、これらの無線アクセスノードによってサービス提供されるセル５０の中で動作している無線通信機器２０に無線通信サービスを提供する。ある種のダウンリンク送信をセル間干渉から保護するため、これらの送信があるサブフレーム（本明細書では「候補サブフレーム」と呼ぶ）の中で確実に起こるように、これらのダウンリンク送信のタイミングが制御される。これらの候補サブフレームは、一又は複数のアグレッサセルが限られた送信を行う又は全く送信を行わない、ビクティムセル内の干渉が全体的に低減される、及び／又は他の好適な送信条件がビクティムセルに対して起こるようなサブフレームを表す。
【００３６】
例えば、特定の実施形態では、候補サブフレームは、アグレッサセルがＭＢＳＦＮ  ＡＢＳサブフレームを送信するように構成されている、これらのサブフレーム、或いはこれらのサブフレームの特定のサブセットを表すことがある。特定の実施形態では、これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される限定的な測定パターンによって特定されるサブフレーム）、又はこれら２つの何らかの組み合わせを表すことがある。代替的に、幾つかの実施形態では、候補サブフレームは、アグレッサセル内での送信及び／又は無線通信機器２０の受信機の種類に関連する強い干渉に対処する無線通信機器２０の能力（例えば、ある種の干渉に対処する又はこれを軽減する能力の目安）に依存することがある。さらに一般的に、候補サブフレームは、当該のサブフレームの間にアグレッサセル内で送信を行う任意の好適な方法に関連する候補条件を満たす、任意のサブフレームを表すことがある。
【００３７】
上記で説明したように、特定の実施形態では、当該のダウンリンク送信（例えば、同期ＨＡＲＱ送信）のタイミングは、当該のダウンリンク送信との間に固定されたタイミングの関係を有する関連のあるアップリンク送信のタイミングによって制約されることがある。結果として、無線通信システム１０は、当該のダウンリンク送信のタイミングを制御するため、関連のアップリンク送信のタイミングを使用してもよい。ある実施形態では、保護されるダウンリンク送信は、関連のアップリンク送信の最後の複製の受信（又は、最後の複製が受信されるべき時点のサブフレームの発生）によって引き起こされてもよい。したがって、無線通信機器２０が送信するアップリンク送信の連続複製の数をインテリジェントに調整することによって、無線通信システム１０は、保護されたサブフレームの間に応答ダウンリンク送信が起こるように保証することができる。より具体的には、特定の実施形態の無線アクセスノードは、関連のアップリンク送信のタイミングを制御するため、送信時間間隔（ＴＴＩ）バンドリングなど、送信の冗長性機能を使用してもよい。
【００３８】
ＴＴＩバンドリングにより、無線通信機器２０は、ダウンリンクＨＡＲＱフィードバックを受信する前に、連続するサブフレームで複数のアップリンク送信を試みることができる。これにより、セルエッジにある無線通信機器２０に対するアップリンクカバレッジを改善し、ＨＡＲＱ失敗の可能性を低減する（例えば、ＨＡＲＱシグナリングを低減することによって）結果となることがある。付加的に、送信冗長性の使用は、最終の複製のタイミングによって引き起こされるＨＡＲＱ送信として、応答ダウンリンクＨＡＲＱ送信に対するタイミングの変更を引き起こすことがある。行われたアップリンク送信の複製の数をインテリジェントに調整することによって、無線アクセスノードは応答ダウンリンクＨＡＲＱ送信のタイミングを制御することができる。
【００３９】
図５Ａ及び５Ｂは、それぞれＴＴＩバンドリングなしでのＨＡＲＱシグナリング、及びＴＴＩバンドリングありでのＨＡＲＱシグナリングに対するタイミングの実施例を図解している。図５Ｂの実施例では、無線通信機器２０は、４つの連続するＴＴＩで送信された４つの反復バージョン（ＲＶ）を含むＴＴＩバンドルを送信する。図５Ａと比較すると、バンドルサイズが４である最短のＨＡＲＱラウンドトリップタイム（ＲＴＴ）は１１ｍｓで、正常なＨＡＲＱ  ＲＴＴの８ｍｓとは同期できないため、ＴＴＩバンドルの再送信は遅延することに留意されたい。したがって、１６ｍｓの周期が設定される。その間のタイムスロットは、当該の無線通信機器２０又は他の無線通信機器２０からの他の何らかの送信に使用可能である。図５Ａ及び５Ｂに示すように、ＴＴＩバンドリング又は他の種類の冗長送信の選択的な使用により、無線アクセスノードはアップリンク送信のタイミング全体、次に関連のダウンリンク送信（例えば、応答ＨＡＲＱ送信）のタイミングを調整することができる。ビクティムセル内の無線アクセスノードがこの技術を使用して、潜在的なアグレッサセルに対する候補サブフレームに当該のダウンリンク送信を合わせると、無線アクセスノードは、利用可能な干渉保護されたサブフレームをより効果的に使用することができる。
【００４０】
例えば、図１Ａに戻ると、アグレッサセル（ここでは、セル５０ａ）にサービス提供している第１の無線アクセスノード（この例では、基地局３２ａ）は、第２の無線アクセスノード（ここでは、低出力ノード３４ａ）によってサービス提供されるビクティムセル（ここでは、セル５０ｂ）に干渉することが想定されている。低出力ノード３４ａは、複数の候補サブフレームを特定する構成情報を取得することができ、その候補サブフレームの中で低出力ノード３４ａはアグレッサセル５０ａ内の基地局３２ａによる送信からの干渉を低減すると期待することができる。構成情報は、低出力ノード３４ａ自体又は別の機器によって生成される情報を表すことがある。その結果、低出力ノード３４ａは、例えば、ローカル記憶装置から情報を取り出すことによって、或いは、無線通信システム１０の別の要素から、例えばアクセスネットワーク３０の連携ノード又は基地局３２ａ自体から情報を受信することによって、この情報を取得してもよい。
【００４１】
取得した構成情報は、任意の好適な方法で、例えば、候補サブフレームの各々を明示的に特定することによって、所定の候補サブフレーム群に識別子を提供することによって、或いは他の任意の好適な方法で当該サブフレームを明示的又は暗示的に示すことによって、候補サブフレームを示すことができる。特定の実施形態では、取得した情報は、構成された無線フレームの各サブフレームにビットを提供するビットマップを表す。各ビットの値は、対応するサブフレームが当該アグレッサセル５０ａに関して候補サブフレームであるかどうかを示す。しかも、上述のように、特定の実施形態では、候補サブフレームは、アグレッサセル５０ａに対して構成されたＭＢＳＦＮ  ＡＢＳサブフレームのすべて又は一部を表す。したがって、取得した情報は、どのサブフレームがＭＢＳＦＮ  ＡＢＳサブフレームとして構成されているかを示すもの、例えば、所定のＭＢＳＦＮ  ＡＢＳパターンに対する識別子であってもよい。
【００４２】
特定の実施形態では、低出力ノード３４ａはまた、取得した情報を使用して、低出力ノードがサービス提供している無線通信機器２０（例えば、無線通信機器２０ａ）がアグレッサセルの送信パターンを活用するように構成してもよい。これにより、無線通信機器２０ａは低減された干渉条件下で、測定又は他の何らかの動作を確実に実施することができる。例えば、無線アクセスノードは潜在的なビクティムセル内で動作する無線通信機器２０と、タイムドメイン測定リソース制限パターン、或いは候補サブフレーム又は候補サブフレームのサブセットを示す他の形態の制限された測定パターンをやりとりすることができる。特定の実施形態では、このようなパターンは、ビクティムセルに干渉すると予測されている一又は複数のアグレッサセルに対して、制限された（例えば、ＡＢＳ）及び／又は制限されていないサブフレームを示すビットストリングを含む。これらの制限付き測定パターンを使用して、干渉が改善された条件下で、無線通信機器２０がサブフレームの間に信号強度測定又は他の所定の動作を実施するように構成してもよい。制限付き測定パターンは、無線リンク管理（ＲＬＭ）又は無線リソース管理（ＲＲＭ）測定のためのサービングセルパターン、ＲＲＭ測定のためのネイバーセルパターン、チャネル状態情報（ＣＳＩ）測定及び復調のためのサービングセルパターン、或いは測定又は他の動作（例えば、フィードバック情報など、ある種のダウンリンク送信の受信）の実施に適した特定のリソースを特定する他の種類のパターンを表すことがある。
【００４３】
低出力ノード３４ａがアグレッサセルに対して候補サブフレームを示す構成情報を取得した後、低出力ノード３４ａは取得した情報を使用して、低出力ノード３４ａによって行われるある種のダウンリンク送信が候補サブフレームの１つの間にスケジュールされるように保証することができる。低出力ノード３４ａによってサービス提供される無線通信機器２０（ここでは、無線通信機器２０ａ）がアップリンク送信を行う許可を要求するとき、低出力ノード３４ａは取得した情報を使用して、アップリンク送信に関連付けられたダウンリンク送信（この実施例では、応答ＨＡＲＱ送信）が候補サブフレームの１つの間に行われることを保証するため、無線通信機器２０ａが作成すべきアップリンク送信の複製の数を決定する。
【００４４】
説明した解決策の実装に応じて、低出力ノード３４ａは、送信される適切な複製の数を制約なしで決定することにより、或いは限られた可能な選択肢の組の中から数を選択すること（例えば、「１つ」から「複数」の間の複製を選択すること）によって、送信する複製の数を決定することができる。例えば、無線通信システム１０の特定の実施形態は、起動されると、無線通信機器２０ａによって送信される固定された所定の数の複製を提供する、ＴＴＩバンドリング又は他の冗長な機能に対応してもよい。例えば、従来のＬＴＥネットワークは、複製数が４に固定されたＴＴＩバンドルに対応している。このようなネットワークでは、無線通信機器２０は、ＴＴＩバンドリングが起動されていない場合には１つの複製を送信し、ＴＴＩバンドリングが起動されている場合には４つの複製を送信する。したがって、特定の実施形態では、送信される複製の数を決定することは、ＴＴＩバンドリングを起動するかどうかを決定することを意味し、ＴＴＩバンドリングが起動されるときには、固定数の複製が送信される。
【００４５】
ある実施形態では、低出力ノード３４ａはある程度スケジューリングの柔軟性を有することがあり、無線通信機器２０ａがアップリンク送信の最初の複製を送信することになっているサブフレームを選択することもある。このような実施形態では、低出力ノード３４ａは、送信される複製の数及び最初の複製に対してスケジュールされているサブフレームの両方を選択し、候補サブフレームの１つの間に応答ダウンリンクサブフレームが作成されることを保証する。他の実施形態では、無線通信機器２０ａによって送信されるスケジューリング要求は、特定のサブフレーム（例えば、スケジューリング要求の受信から所定の時間が経過した後に起こるサブフレーム）に関連することがあり、低出力ノード３４ａは当該サブフレームの間に第１の複製をスケジュールするように要求されることがある。その結果、このような実施形態では、低出力ノード３４ａは第１の複製のスケジューリングを調整することができないが、送信されるアップリンク送信の複製の数を調整することだけで、候補サブフレームの間に関連のダウンリンク送信が起こるように保証することができる。
【００４６】
無線通信機器２０ａが送信する複製の適切な数を低出力ノード３４ａが決定した後、低出力ノード３４ａは無線通信機器２０ａに、無線通信機器２０ａがアップリンク送信を送信するようにスケジュールされたことを示す情報を送信してもよい。例えば、特定の実施形態では、低出力ノード３４ａは、アップリンク送信を行うために無線通信機器２０ａが送信リソースを使用することを許可するスケジューリンググラントを送信することがある。このスケジューリンググラントと共に、低出力ノード３４ａは、無線通信機器２０ａに対して、無線通信機器２０ａが連続したサブフレームで送信すべきアップリンク送信の複製の決定数を示す付加的なスケジューリング情報を送信してもよい。１つの実施例として、特定の実施形態では、無線通信システム１０はＴＴＩバンドリング機能を利用して、アップリンク送信の冗長な複製を送信するように無線通信機器２０を構成することができ、スケジューリング情報は特定のＴＴＩバンドリング構成（例えば、ＴＴＩバンドリングを起動／停止する；特定のバンドルサイズのＴＴＩバンドリングを使用する）を特定する。スケジューリング情報はアップリンク送信の他の態様を構成してもよい。例えば、低出力ノード３４ａは、無線通信機器２０が送信すべき再送信の最大数を設定することができる。
【００４７】
加えて、低出力ノード３４ａは、基地局３２ａ又は別のアグレッサセルにサービス提供する無線アクセスノードに、保護されるサブフレームを示す情報を送信することができる。当該無線アクセスノードは、ビクティムセル５０ｂ内のダウンリンク送信が確実に保護されるようにするため、アグレッサセルに対して送信パターン（例えば、ＡＢＳ  ＭＢＳＦＮパターン）を調整することができる。低出力ノード３４ａはまた、候補サブフレームに適応して冗長アップリンク送信（例えば、ＴＴＩバンドリング）を使用するための機能、及び／又は冗長アップリンク送信と制限付き測定パターンを同時にサポートする機能を示す他の無線アクセスノード情報を送受信することができる。
【００４８】
スケジューリンググラント及び任意の付加的なスケジューリング情報（例えば、バンドリングが起動されるべきことの指示、決定された複製の数の明示的な指示）を受信すると、無線通信機器２０ａは低出力ノード３４ａにアップリンク送信を送信する。無線通信機器２０ａがアップリンク送信の複数の複製を送信すべきことを構成情報が示している場合には、無線通信機器２０ａは、無線通信機器２０ａが連続するサブフレームの中で決定された数のアップリンク送信の複製を送信するまで、以降のサブフレームでアップリンク送信を繰り返す。例えば、特定の実施形態では、スケジューリング情報は、無線通信機器２０ａがＴＴＩバンドリングを起動すべきことを示し、無線通信機器２０ａは無線通信システム１０内のＴＴＩバンドリングに対して固定されたアップリンク送信の所定の数の複製を送信することがある。
【００４９】
無線通信機器２０ａが適切な数のアップリンク送信の複製を送信し終わった後、低出力ノード３４ａはアップリンク送信に関連するダウンリンク送信を送信する。上記で説明したように、関連ダウンリンク送信はやがてアップリンク送信に関連付けられる。したがって、低出力ノード３４ａは、アップリンク送信とこれに関連付けられたダウンリンク送信との間のタイミングの関係に従ってダウンリンク送信の時期を決定する。例えば、特定の実施形態では、ダウンリンク送信は、アップリンク送信の最後の複製が送信されてから、所定の数のサブフレームだけ時間が経過した後に送信されるべきＨＡＲＱフィードバック送信（例えば、ＡＣＫ又はＮＡＫ）を表す。したがって、低出力ノード３４ａは、アップリンク送信の最後の複製の受信から、所定の数のサブフレームだけ時間が経過した後に（又は、アップリンク送信の最後の複製が受信されるべき時点から所定の数のサブフレームだけ時間が経過した後に）ＨＡＲＱフィードバック送信を送信する。
【００５０】
無線通信機器２０ａが送信する複製の数は、候補サブフレームのタイミングに基づいて決定されたため、ダウンリンク送信は候補サブフレームの１つの間に起こる。これは、候補サブフレームが候補サブフレームに対応するアグレッサセル５０ａからの干渉から保護され、図６と同様の信号タイミングになることを意味する。図１Ａの例示的な実施例では、当該候補サブフレームはアグレッサセル５０ａ内の基地局３２ａの送信に関連する。その結果、ダウンリンク送信は、アグレッサセル５０ａ内の基地局３２ａによる送信に起因する干渉から保護される。この保護の結果、無線通信機器２０ａが成功裏にダウンリンク送信を受信する可能性は、ダウンリンク送信のタイミングが制約されていない場合よりも高くなることがある。
【００５１】
上述の技術は、当該タイプのダウンリンク送信すべてを無条件で保護するように適用されることがあるが、幾つかの実施形態はこの技術をある状況下でのみ利用することがある。他の状況下では、対応するアップリンク送信に対して設定された複製の数は、ＴＴＩバンドリングを起動するための従来のプロセスなど、他の何らかのデフォルト技術を用いて決定される。例えば、特定の実施形態では、ビクティムセル内の無線アクセスノードは、干渉条件が上述の技術を実行前に適用することを保証するかどうかを決定する。したがって、このような実施形態では、無線アクセスノードは、特定の干渉条件が満たされることの決定に応じて、送信される特定のアップリンク送信の複製の数を調整することができる。この干渉条件は、何らかの適切な方法で、当該無線通信機器２０及び／又はビクティムセルが受ける干渉に関連することがある。加えて、干渉条件を利用する実施形態では、干渉条件は候補サブフレーム（又は、候補リソース）の群を定義する候補条件と同じになることがある。
【００５２】
１つの実施例として、無線アクセスノードは、ビクティムセルでの干渉が十分に大きいと決定された場合にのみ、上述の技術を利用するように構成されてもよい。したがって、特定の実施形態では、干渉条件は無線アクセスノード、当該無線通信機器２０、または無線通信システム１０の他の要素によって実施される干渉測定に関連することがある。これらの干渉測定は、信号又はチャネルの品質評価、信号強度測定、チャネル評価レポート、又は他の任意の好適な干渉の測定及び／又はビクティムセルでの信号品質を表すことがある。このような実施形態では、無線アクセスノードは、一又は複数の干渉測定に基づいて、上述のように送信が確実に保護されるように、特定のアップリンク送信に関して送信される複製の数を調整するかどうかを決定してもよい。
【００５３】
別の実施例として、無線通信システム１０は、図１Ｂで図解されているシナリオのように、そのサブスクライバグループに属していない無線通信機器２０上でＣＳＧ無線アクセスノードの影響を低減するため、上記の技術を利用するように構成されてもよい。したがって、干渉条件は、当該の無線通信機器２０（図１Ｂの無線通信機器２０ｇなど）が、無線通信機器２０ｇが属していないクローズドサブスクライブドグループ用のＣＳＧセル内で動作しているかどうかに関連することがある。このような実施形態では、第１の無線アクセスノード（例えば、図１Ｂの基地局３２ｇ）は、無線通信機器２０の属さないクローズドサブスクライバグループにサービス提供する第２の無線アクセスノードのセル（例えば、低出力ノード３４ｇによってサービス提供されるセル５０ｇ）内で無線通信機器２０ｇが動作しているかどうかに基づいて、特定のアップリンク送信に関する送信された複製の数を調整するかどうかを決定することがある。
【００５４】
別の実施例として、無線通信システム１０は、図１Ｃで図解されているシナリオのように、セルレンジエクスパンションゾーン内で動作している無線通信機器２０に対する干渉を低減するため、上述の技術を利用するように構成されてもよい。したがって、特定の実施形態では、干渉条件は、当該無線通信機器２０（例えば、図１Ｃの無線通信機器２０ｋ）がＣＲＥゾーン５２内又は無線アクセスノードが信号強度を低減したと予測される別の領域内で動作しているかどうかに関連することがある。このような実施形態では、第１の無線アクセスノード（例えば、図１Ｃの低出力ノード３４ｋ）は、無線通信機器２０ｋが当該の無線アクセスノードのＣＲＥセル５２（例えば、ＣＲＥゾーン５２ｋ）内で動作しているかどうかに基づいて、特定のアップリンク送信に関して送信される複製の数を調整するかどうかを決定することができる。これは、ＣＲＥゾーンのような、ビクティムセルが弱くアグレッサセルからの干渉をより受けやすくなりうるエリア内のダウンリンク送信に対する保護となることがある。
【００５５】
さらに別の実施形態では、関連するダウンリンク送信の保護を促進するため、冗長なアップリンク送信を使用するかどうかの決定は、当該無線通信機器２０が近隣の低出力ノード３４を検出しているかどうか、当該無線通信機器２０が最も近い低出力ノード３４からどれだけ離れているか、当該無線通信機器２０が冗長送信（例えば、ＴＴＩバンドリング機能）に対応できるかどうか、当該無線通信機器２０が構成される測定パターンを有するかどうか、特定のアグレッサセル内のＭＢＳＦＮ  ＡＢＳパターンが冗長送信を使用せずにビクティムセル内のＨＡＲＱラウンドトリップタイムに適合するように構成可能かどうか、冗長送信が別のネットワークノード（例えば、自己組織化ネットワーク（ＳＯＮ）、運用保守（Ｏ＆Ｍ）ノード、隣接無線アクセスノード）によって要求されているかどうかなど、干渉に直接関係しうる又は関係しえない他の要因、及び／又は他の任意の好適な検討事項に基づいていてもよい。
【００５６】
上記の説明は、アグレッサセルのＭＢＳＦＮ  ＡＢＳサブフレームを候補サブフレームとして利用する特定の実施形態に焦点を当てているが、候補サブフレームは任意の好適な所定の候補条件を満たすサブフレームを表すことがある。ある実施形態では、この候補条件は、一又は複数の他の無線アクセスノードからの送信によって引き起こされる当該サブフレームの間に起こる干渉の量に関連することがある。特に、候補条件は、特定の無線アクセスノード又は無線アクセスノード群が当該サブフレームの間に送信するように構成されているかどうかに関連することがある。同様に、上記の説明は、特定の種類の関連アップリンク及びダウンリンク送信に注目する特定の実施形態に焦点を当てているが、説明されている技術は無線アクセスノードが冗長性を制御しうるアップリンク送信に時間的に関連する任意のダウンリンク送信を保護するため使用可能である。したがって、他のダウンリンク制御チャネル上の送信、例えば、アップリンク送信によって引き起こされる送信は、上述の方法で保護されてもよい。
【００５７】
冗長なアップリンク送信を選択的に使用することにより、無線通信機器１０の特定の実施形態は、ある重要なダウンリンク送信をアグレッサセル内に構成される保護されたサブフレームに一致させることができる。これにより、当該のダウンリンク送信の干渉を低減して信頼性を高め、過剰な再送信から生じるオーバーヘッドを低減することができる。したがって、無線通信システム１０のある実施形態は、数多くの動作上の利点を提供することができる。しかしながら、無線通信システム１０の特定の個々の実施形態は、このような利点の一部を提供する、全く提供しない、或いは全てを提供することがある。
【００５８】
図６は、ダウンリンク送信を保護するため選択的な冗長性をどのように使用しうるかの実施例を示している。より具体的には、図６は、ＨＡＲＱフィードバック送信を候補サブフレームの組に一致させる目的で、ＨＡＲＱフィードバックを遅延させるため、無線アクセスノードがＴＴＩバンドリングを利用する実施例の実施形態を図解している。この実施例の実施形態では、サイズが４ＴＴＩのＴＴＩバンドリングの組が使用され、最大送信回数は３に設定される。この実施例の実施形態により、無線通信機器２０は（１，０）サブフレーム内でスケジュール可能であり、フィードバック情報（例えば、ＡＣＫ／ＮＡＫ）は図示しているように（２，１）及び（８，２）サブフレーム内で送信される。（ここで、（ｕ，ｖ）はｖ番目の無線フレームのｕ番目のサブフレームを意味する）。
【００５９】
この実施例の実施形態では、ダウンリンク送信に対して候補の時間及び／又は周波数リソースの事前に定義した実行可能なサブセットは、図６で「ＭＢＳＦＮ構成」と記されたサブフレーム（これは、ＭＢＳＦＮ  ＡＢＳパターンを使用しうるアグレッサセル内のＭＢＳＦＮ構成可能なサブフレームである）を含む。ビクティムセル内で低干渉条件が必要又は望ましいサブフレームは「保護されるサブフレーム」と記されている。図６では、ダウンリンク送信が起こるサブフレームは「ダウンリンク制御」と記され、これらのダウンリンク送信を引き起こすバンドルされたアップリンク送信のためのサブフレームは「アップリンク送信」と記されている。（特定の実施形態では、候補サブフレームサブセットのみがダウンリンク制御送信を保護するように使用され、そのような実施形態では、「ダウンリンク制御」と記されたサブフレームは「保護されるサブフレーム」と記されたサブフレームとは異なることがある）。この実施例では、ＭＢＳＦＮ構成可能なサブフレームに適応するようにＴＴＩバンドリングを使用することなく、「保護されるサブフレーム」はＭＢＳＦＮ構成可能なサブフレームのサブセットでないことがあり、ＰＨＩＣＨの検出及びさらにはＨＡＲＱ性能の問題を引き起こすことがある。図４の実施例との比較は、図６に見られるように送信の冗長性を使用することによって、ＭＢＳＦＮ  ＡＢＳサブフレームはダウンリンク送信を保護するように使用可能であるが、そうでない場合にはこの方法で保護できないことがあることを示している。
【００６０】
図７は、関連するダウンリンク送信を保護するための冗長なダウンリンク送信の利用を構成する際に、図１Ａの基地局３２又は低出力ノード３４の１つなど、無線アクセスノードに対する実施例の動作を図解するフロー図である。図７に図解されているステップは、必要に応じて、結合、修正、又は削除されることがある。実施例の動作に付加的なステップが追加されることもある。さらに、説明されているステップは、任意の好適な順序で実施されてもよい。
【００６１】
図７の動作は、ステップ７００で第１のセル内の無線通信機器２０（この実施例では、無線通信機器２０ａ）へのダウンリンク送信に対して複数の候補サブフレームを示す構成情報を取得する無線アクセスノード（この実施例では、図１Ａの低出力ノード３４ａ）によって開始される。候補サブフレームは、当該サブフレームの間の第２のセルでの送信に関連する所定の候補条件を満たすサブフレームを表す。特定の実施形態では、候補条件は、第２のセルでの送信によって引き起こされる当該のサブフレームの間に起こる干渉の量に明確に関連する。
【００６２】
特定の実施形態では、低出力ノード３４ａは、第２のセルに関連付けられた候補サブフレームに基づいて、無線通信機器２０ａに対する測定パターンを生成することができる。測定パターンは、候補サブフレームの中のすべて又は一部のサブフレームを示すことがある。無線通信機器２０ａは、ある種の測定を実施するように、又は測定パターンによって示されるサブフレームである種の送信を受信するように構成されてもよい。したがって、例示的な実施例では、ステップ７０２で、低出力ノード３４ａは第２のセルに対してすべての候補サブフレームを示す測定パターンを生成し、当該測定パターンを無線通信機器２０ａに送信する。
【００６３】
加えて、低出力ノード３４ａは、第２のセルにサービス提供する無線アクセスノード（例えば基地局３２ａ）など、別の無線アクセスノードに、低出力ノード３４ａがダウンリンク送信に対して使用する一又は複数の候補サブフレームを示す情報、アップリンク送信の複製の決定された数、及び／又は低出力ノード３４ａによって行われるダウンリンク送信を保護するため、他の無線アクセスノードがその送信を調整することを可能にする他の情報を、送信してもよい。したがって、例示的な実施例では、ステップ７０４で、低出力ノード３４ａは連携情報を基地局３２ａに送信する。例えば、特定の実施形態では、低出力ノード３４ａによって最初に受信された構成情報は、保護される可能性のあるサブフレーム（例えば、ＭＢＳＦＮ  ＡＢＳに対して構成されうるサブフレーム）を特定することができる。基地局３２ａは連携情報を使用して、保護される可能性のあるサブフレームのうちのいずれが実際に保護を必要としているかを決定することができる。これにより、無線通信システム１０は、アグレッサセルによる送信リソースの使用を抑制する連携の度合を制限することができる。
【００６４】
構成情報により、低出力ノード３４ａは、構成情報に基づく無線通信機器２０ａによるアップリンク送信の構成を開始することができる。特定の実施形態では、この構成は、送信に利用可能なデータを有していることを示す無線通信機器２０ａによって開始されてもよい。例えば、例示的な実施形態では、ステップ７０６で、低出力ノード３４ａは、低出力ノード３４ａが無線通信機器２０ａに対してアップリンク送信をスケジュールすることを要求する無線通信機器からのスケジューリング要求を受信する。
【００６５】
特定の実施形態では、無線通信システム１０の無線アクセスノードは、あらゆる状況下でダウンリンク送信の保護を試みないことがある。それどころか、無線アクセスノードは、ある状況で、例えば、当該無線通信機器２０が受ける又は受けると予想されている干渉に基づいて、保護を促進するため無線通信機器２０だけを構成することがある。したがって、例示的な実施例では、ステップ７０８で、低出力ノード３４ａは干渉条件が満たされているかどうかを決定する。この干渉条件は、実際の干渉測定、無線通信機器２０ａがサービス提供していないＣＳＧにサービス提供しているセル内に無線通信機器２０ａが配置されているかどうか、無線通信機器２０ａがセルレンジエクスパンションゾーン内で動作しているかどうか、無線通信機器２０ａが受ける干渉又は受けると予測される干渉に影響を及ぼす他の任意の検討事項、に関連することがある。
【００６６】
干渉条件が満たされていない場合には、低出力ノード３４ａは、当該アップリンク送信の単一の複製を送信する、又は冗長性が適応されるべきかどうかを決定する従来の技術を使用する無線通信機器２０ａを構成してもよい。しかしながら、例示的な実施例では、干渉条件は満たされていると想定されて動作はステップ７１０に続く。上述のように、図７のステップは、様々な実施形態で任意の好適な順序で実施されてもよい。したがって、例示的な実施例ではステップ７０８まで起こらないように示されているが、任意の先行するステップの完了は、代替的な実施形態では、干渉条件が満たされているかどうかの決定が条件となることがある。
【００６７】
ステップ７１０では、低出力ノード３４ａは、候補サブフレームに関する情報に基づいて、無線通信機器２０ａが連続するアップリンクサブフレームで送信すべきアップリンク送信の複製の数を決定する。具体的には、低出力ノード３４ａは、候補サブフレームの１つの間に発生するアップリンク送信に関連するダウンリンク送信を引き起こす任意の数の複製を選択する。上述のように、説明した解決策の実装に応じて、低出力ノード３４ａは、送信される適切な複製の数を制約なしで決定することにより、或いは限られた可能な選択肢の組の中から数を選択すること（例えば、「１つ」から「複数」の間の複製を選択すること）によって、送信する複製の数を決定することができる。例えば、特定の実施形態では、送信される複製の数を決定することは、低出力ノード３４がＴＴＩバンドリングを起動するかどうかを決定することを意味し、ＴＴＩバンドリングが起動されるときには、固定数の複製（例えば、４つ）が送信される。
【００６８】
ステップ７１２で、低出力ノード３４ａは次に、連続するサブフレームの中で決定された数のアップリンク送信の複製を送信する無線通信機器２０ａを構成する。特定の実施形態では、低出力ノード３４ａは、スケジューリング情報又は他の種類の命令を無線通信機器２０ａに送信することによって決定された数のアップリンク送信の複製を送信するように無線通信機器２０ａを構成し、送信するアップリンク送信の複製の数を直接的に又は間接的に示す。特定の実施形態では、このスケジューリング情報は、無線通信機器２０ａが送信すべき複製の数を明示的に指定してもよい。上述のように、特定の実施形態では、複製の数を明示的に指定するのではなく、この構成情報は、無線通信機器２０ａが固定された数の複製を送信する状況下で、無線通信機器２０ａがＴＴＩバンドリング又は他の何らかの形態の冗長化を起動すべきかどうかを示すことがある。
【００６９】
無線通信機器２０ａが送信するアップリンク送信の複製の数を示すスケジューリング情報を受信すると、或いはそうではなく低出力ノード３４ａによって適切な数の複製を送信するように構成されると、無線通信機器２０は当該アップリンク送信を実施することがある。このようにする場合、無線通信機器２０ａは、連続するサブフレームで、低出力ノード３４ａによって決定される数のアップリンク送信の複製を送信する。したがって、ステップ７１４で、低出力ノード３４ａは、無線通信機器２０ａによって送信される一又は複数のアップリンク送信の複製を受信する。
【００７０】
特定の実施形態では、低出力ノード３４ａはアップリンク送信のタイミングに対して所定の関係性を満たすタイミングで、アップリンク送信に関連するダウンリンク送信を送信する。例えば、低出力ノード３４ａは、フィードバック情報（例えば、ＡＣＫ／ＮＡＣＫビットを含むＨＡＲＱフィードバック）を送信することがある。ある実施形態では、タイミングの関係性は、アップリンク送信の最後の複製が受信された後又は受信されるようにスケジュールされた後に、固定された数のサブフレームとなるサブフレームに起こるダウンリンク送信をもたらす。その結果として、例示的な実施形態では、低出力ノード３４ａは、ステップ７１６で、最後の一又は複数の複製が受信されてから所定の時間が経過した後に、ダウンリンク送信を送信する。低出力ノード３４ａが送信されるアップリンク送信の複製の数を決定した方法により、最後の複製が受信されてから所定の時間が経過した後に起こるサブフレームは、候補サブフレームの１つとなる。したがって、低出力ノード３４によって行われるダウンリンク送信は、候補サブフレームの間に起こり、結果としてダウンリンク送信は第２のセルの干渉から保護される。当該アップリンク送信の構成に関する低出力ノード３４ａの動作は、図７に示すように終了する。
【００７１】
ダウンリンク送信の保護を促進する冗長アップリンク送信の使用に加えて、又はこれに代えて、無線通信システム１０は、無線アクセスノード間の他の形態での連携を利用して、潜在的なアグレッサセルによる干渉から潜在的なビクティムセル内のダウンリンク送信を部分的に又は全面的に保護することができる。図８は、異なるセル５０の一部又はすべてのダウンリンク送信を保護するため、当該セル５０にサービス提供する一又は複数の無線アクセスノードがこれらのセル５０の構成を調整する無線通信システムの実施例の実施形態を図解している。この実施例の実施形態に図解されている技術は、上述のアップリンク冗長化の解決策と共に、或いはダウンリンク送信を保護するための分離された単独の解決策として使用されてもよい。
【００７２】
実施例の実施形態では、第１の無線アクセスノード（この実施例では、低出力ノード３４ｘ）は、第２の無線アクセスノード（ここでは、基地局３２ｚ）に連携情報を送信する。構成情報（図８では、「構成情報メッセージ８０」によって表される）は、低出力ノード３４ｘ（ここでは、セル５０ｘ）によってサービス提供されるビクティムセル内の無線通信機器２０（ここでは、無線通信機器２０ａ）に、低出力ノード３４ｘがフィードバック情報を送信する一又は複数のサブフレームの群を示す。低出力ノード３４ｘは、図８に示された専用インターフェース（例えば、Ｘ２インターフェース）を用いて、或いはコンポーネント間の任意の好適な直接又は間接接続を用いて連携情報を基地局３２ｚに送信することができる。
【００７３】
この連携情報に基づいて、基地局３２ｚは、基地局３２ｚ（ここでは、セル５０ｚ）によってサービス提供されるアグレッサセル内で使用するため、一又は複数の時間及び／又は周波数送信リソースの第２の群を決定する。これらの時間及び／又は周波数リソース（本明細書では総称的に「送信リソース」と呼ぶ）は、時間リソース（例えば、サブフレーム）又は周波数リソース（例えば、サブキャリア）又は両者の組み合わせ（例えば、特定のサブフレームの間の特定のサブキャリアの使用）を表すことがある。基地局３２ｚは、第２の群と第１の群との間の重なりを防止又は制限するように、第２の送信リソース群を決定する。したがって、第２の送信リソース群は、少なくとも一部が第１の群とは異なる。基地局３２ｚは次に、第２の送信リソース群を使用して、一又は複数の無線通信機器２０にフィードバック情報を送信するように自局を構成する。
【００７４】
無線通信システム１０の特定の実施形態に応じて、基地局３２ｚは様々な異なる方法で構成を実現してもよい。特定の実施形態では、構成プロセスは、基地局３２ｚによって使用される送信リソースが時間及び周波数の点において、ビクティムセル５０ｘ内の低出力ノード３４ｘによって使用される送信リソースと同一ではないことを保証するため、アグレッサセル５０ｚ内で、一般的な又はある特定の送信において、基地局３２ｚによって使用される時間及び／又は周波数リソースを調整することを含みうる。
【００７５】
無線通信システム１０の特定の実施形態では、基地局３２ｚは、ビクティムセル５０ｘ内で保護されることになっている同一の種類のダウンリンク送信を送信するために、基地局３２ｚが使用する送信リソースを調整することがある。例えば、ダウンリンクＰＨＩＣＨ送信が保護されることになっている実施形態では、基地局３２ｚは、基地局３２ｚが自局のＰＨＩＣＨ送信を送信するために使用する送信リソースに影響を与える基地局３２ｚに関連するパラメータを調整することがある。例えば、基地局３２ｚは、基地局３２ｚに関連するセル識別子、当該の送信のために基地局３２ｚによって使用される任意の数の変調シンボル（例えば、ＬＴＥ実施形態におけるＯＦＤＭシンボル）、又はアグレッサセル５０ｚ内での当該の送信に関連するグループ番号（例えば、ＰＨＩＣＨのグループ番号）などのパラメータを調整することがある。
【００７６】
特定の実施形態では、基地局３２ｚは、アグレッサセル５０ｚによってサービス提供される無線通信機器２０の一部又はすべてに関連するパラメータを選択すること又は再選択することによって、当該送信に対して使用される送信リソースを調整することができる。例えば、基地局３２ｚは、アグレッサセル５０ｚ内の当該ダウンリンク送信が受信構成情報によって示される送信リソースを使用しないことを保証するため、アグレッサセル５０ｚによってサービス提供される一又は複数の無線通信機器２０によって使用される巡回シフト又はリソース割り当てを選択又は再選択してもよい。このような場合、基地局３２ｚは、当該無線通信機器２０（例えば、図８の無線通信機器２０ｙ）に新たに選択されたパラメータを示す情報を送信することができる。
【００７７】
さらに、特定の実施形態では、基地局３２ｚはまた、ビクティムセル５０ｘ内で保護されるべきダウンリンク送信とは異なる他の種類のダウンリンク送信に対して、基地局が使用する送信リソースを調整してもよい。例えば、ＰＨＩＣＨ送信がビクティムセル５０ｘ内で保護されることになっている実施形態では、基地局３２ｚはそれにもかかわらず、ＰＤＣＣＨなどの他のチャネルの送信に使用される送信リソースを調整して、これらのチャネルが保護されている送信と干渉しないように保証することがある。したがって、このような実施形態では、基地局３２ｚは、アグレッサセル５０ｚによってサービス提供される一又は複数の無線通信機器２０に割り当てられる識別子（例えば、Ｃ−ＲＮＴＩ）、当該チャネル（例えば、使用される任意の数の制御チャネルエレメント（ＣＣＥ））上での送信のための送信フォーマット、又はアグレッサセル５０ｚ内での当該ダウンリンク送信に対して使用される送信リソースが受信した連携情報によって特定される送信リソースと同時に起こらないことを保証する他の任意の好適なパラメータ、を選択又は再選択してもよい。
【００７８】
無線通信システム１０の実施形態に応じて、基地局３２ｚは様々な異なる方法で説明された連携手続きを開始してもよい。特定の実施形態では、基地局３２ｚは、他のノードからの明示的なシグナリングに応答して、無線ネットワークノードの動作を調整するために事前に定義した規則に基づいて、送信を保護するため無線アクセスノードの動作連携の役目を担う連携ノードからの命令に応答して、及び／又は他の任意のトリガイベントの結果として、自律的に（ビクティムセル５０ｘ内の干渉測定に基づいて）連携手続きを開始することがある。
【００７９】
図９は、図８の基地局３２又は低出力ノード３４の１つなどの無線アクセスノードの動作の実施例を図解するフロー図で、これらの無線アクセスノードの一方または両方によって行われるダウンリンク送信を保護するため、別の無線アクセスノードとの構成を調整することを図解している。図９に図解されているステップは、必要に応じて、結合、修正、又は削除されることがある。実施例の動作に付加的なステップが追加されることもある。さらに、説明されているステップは、任意の好適な順序で実施されてもよい。
【００８０】
図９の動作は、ステップ９００で、第１のセル内の無線通信機器２０に、ダウンリンク送信のための複数の候補サブフレームを示す連携情報を取得する無線アクセスノード（この実施例では、図８の基地局３２ｚ）によって開始される。候補サブフレームは、別の無線アクセスノード（この実施例では、低出力ノード３４ｘ）が、低出力ノード３４ｘによってサービス提供される一又は複数の無線通信機器２０（この実施例では、無線通信機器２０ｘ）に、フィードバック情報（例えば、ＨＡＲＱ  ＡＣＫ／ＮＡＣＫビット）を送信するサブフレームを表す。
【００８１】
ステップ９０２で、基地局３２ｚは次に、取得した連携情報に基づいて、基地局３２ｚによってサービス提供される無線通信デバイス２０ｘにフィードバック情報を送信するために、基地局３２ｚが使用すべき第２の送信リソース群を決定する。第２のサブフレーム群は第１のサブフレーム群とは異なる。
【００８２】
基地局３２ｚは、ステップ９０４で、第２の送信リソース群を用いて、基地局３２ｚによってサービス提供される無線通信機器２０（例えば、無線通信機器２０ｙ）にフィードバック情報を送信するように自局を構成する作業に進む。基地局３２ｚは、様々な方法で第２のリソース群を用いて、フィードバック情報を送信するように自局を構成することができる。１つの実施例として、基地局３２ｚは、基地局３２ｚに対してセル識別子を設定することによって、フィードバックチャネルに対して使用される送信リソースを調整することがある。別の実施例として、基地局３２ｚは、基地局３２ｚによってサブフレームごとに使用される任意の数の変調シンボル（例えば、ＯＦＤＭシンボル）を設定することによって、フィードバックチャネルに対して使用される送信リソースを調整することがある。別の実施例として、基地局３２ｚは、無線通信機器２０ｙのグループ番号を設定することによって、フィードバックチャネルに対して使用される送信リソースを調整することがある。グループ番号はフィードバック情報の送信に使用される送信リソースの組を示す。さらに別の実施例として、基地局３２ｚは、無線通信機器２０ｙによって送信される復調参照信号に関連付けられる巡回シフトを設定することによって、フィードバックチャネルに対して使用される送信リソースを調整することがある。
【００８３】
ＰＨＩＣＨチャネルなどのダウンリンクフィードバックチャネルの構成に加えて、又はこれに代えて、基地局３２ｚは、ステップ９０６で、他のダウンリンクチャネルを構成して、そのダウンリンク送信を低出力ノード３４ｘのダウンリンクチャネルと調整することがある。例えば、基地局３２ｚは、当該チャネル上の無線通信機器２０ｙへのダウンリンク送信のリソースマッピングに影響を及ぼす無線通信機器２０ｙに対して、識別子（例えば、Ｃ−ＲＮＴＩ）を割り当てることによって、ＰＤＣＣＨのような制御チャネルの送信リソースを調整することがある。別の実施例として、基地局３２ｚは、制御チャネルに対して送信フォーマットを調整すること（例えば、使用される制御チャネルエレメントの数を設定すること）によって、ＰＤＣＣＨなどの制御チャネルの送信リソースを調整することがある。
【００８４】
連携情報に基づいて自局を構成した後、基地局３２ｚは次に、ステップ９０８で、構成に従ってダウンリンク送信を送信する。連携の結果として、基地局３２ｚによって送信されるダウンリンク送信は、低出力ノード３４ｘによって送信されるフィードバック送信に干渉しない。低出力ノード３４ｘとの連携送信に関する基地局３２ｚの動作は、図９に示すように終了する。
【００８５】
図１０は、無線アクセスノードがサービス提供している（潜在的なビクティムセル内で動作している場合）セル内及び／又は別の無線アクセスノード（潜在的なアグレッサセル内で動作している場合）によってサービス提供される隣接セル内で、ダウンリンク送信を保護するように構成されうる無線アクセスノード１０００の特定の実施形態の内容をより詳細に図解するブロック図である。実施例の無線アクセスノード１０００の特定の実施形態は、例えば、図７に関して上述の関連のダウンリンク送信を保護するため、冗長アップリンク送信のスケジューリングを行うことができる。実施例の無線アクセスノード１０００の特定の実施形態は追加的に又は代替的に、そのダウリンク送信を、例えば、図９に関して上述のように別のセルの送信と連携させることができる。図１０に示したように、ネットワークノード１０００の実施例の実施形態は、ノードプロセッサ１００２、ノードメモリ１００４、通信インターフェース１００６、アンテナ１００８、送信機１０１０、及び受信機１０１２を含む。
【００８６】
ノードプロセッサ１００２は、専用マイクロプロセッサ、汎用コンピュータ、又は電子情報を処理することができる他の形態の電子回路など、任意の形態の処理コンポーネントを表す又は含むことがある。ノードプロセッサ１００２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図１０は簡略化するように描かれているが、単一のノードプロセッサ１００２、ネットワークノード１０００を含むネットワークノード１０００の実施形態は、任意の適切な方法で同時使用するように構成された任意の数のノードプロセッサ１００２を含んでもよい。
【００８７】
ノードメモリ１００４は、無線アクセスノード１０００によって取得された構成情報を保存する。ノードメモリ１００４はまた、ノードプロセッサ１００２に対するプロセッサ命令、コーディングアルゴリズム、送信パラメータ、及び／又は動作の間に無線アクセスノード１０００によって利用される他の任意のデータを保存してもよい。ノードメモリ１００４は、ランダムアクセスメモリ（ＲＡＭ）、リードオンリーメモリ（ＲＯＭ）、磁気記憶、光記憶、又は他の好適な種類のデータ記憶コンポーネントなど、データの保存に適した揮発性又は不揮発性のローカル機器又はリモート機器の、任意の集積及び配置を含んでもよい。図１０に単一要素として示したが、ノードメモリ１００４は、無線アクセスノード１０００の内部又は離れた場所に存在する一又は複数の物理コンポーネントを含んでもよい。
【００８８】
通信インターフェース１００６は、無線アクセスノード１０００と他の無線アクセスノード及び／又はアクセスネットワーク３０並びにコアネットワーク４０の他の要素との通信を可能にするのに適した電子回路及び他のコンポーネントを含む。例えば、無線アクセスノード１０００がアクセスネットワーク３０の他のネットワークノードと連携情報を交換する実施形態では、通信インターフェース１００６は、無線アクセスノード１０００とアクセスネットワーク３０の他のノードとの間のＸ２インターフェースを介して通信を行うことができる回路を表すことがある。
【００８９】
アンテナ１００８は、無線信号を送受信することができる任意の好適な導体を表す。送信機１０１０はアンテナ１００８を介して高周波（ＲＦ）信号を送信し、受信機１０１２は無線通信機器２０によって送信されるある種のＲＦ信号をアンテナ１００８から受信する。図１０の実施例の実施形態は、ある数と構成のアンテナ、受信機、及び送信機を含むが、無線アクセスノード１０００の代替的な実施形態は、任意の好適な数のこれらのコンポーネントを含んでもよい。加えて、送信機１０１０、受信機１０１２、及び／又はアンテナ１００８は、部分的に又は全体的に同一の物理コンポーネントを表すことがある。例えば、無線アクセスノード１０００の特定の実施形態は、送信機１０１０と受信機１０１２の両方を表す送受信機を含む。
【００９０】
本発明は幾つかの実施形態と共に説明されているが、当業者には多数の変更、変形、改変、変換、及び修正が想起されるであろう。したがって、本発明はそのような変更、変形、改変、変換、及び修正は添付の特許請求の範囲内に含まれることが意図されている。
【図１Ａ】
0006466486.tif 000002
【図１Ｂ】
0006466486.tif 000003
【図１Ｃ】
0006466486.tif 000004
【図２Ａ】
0006466486.tif 000005
【図２Ｂ】
0006466486.tif 000006
【図３】
0006466486.tif 000007
【図４】
0006466486.tif 000008
【図５Ａ】
0006466486.tif 000009
【図５Ｂ】
0006466486.tif 000010
【図６】
0006466486.tif 000011
【図７】
0006466486.tif 000012
【図８】
0006466486.tif 000013
【図９】
0006466486.tif 000014
【図１０】
0006466486.tif 000015